(57)【要約】【課題】簡易な構成により、台座に支柱を容易に安定して保持させることができる支柱構造体及びその施工方法を提供すること。【解決手段】支柱構造体１は、上下方向に延びる支柱３と、支柱３に沿って延び支柱３に支持される被支持部材４と、支柱３の径よりも大きい取付開口部２１が上面２２に形成された台座２と、支柱３と台座２との間に配置される支持ブラケット５であって、支柱３が挿入されると共に取付開口部２１に挿入され底部５３を有する筒状部５１と、筒状部５１の外周面から径方向に延出して台座２の上面に配置される延出部５２と、を有する支持ブラケット５と、筒状部５１に挿入された支柱３を筒状部５１に固定する第１固定部材１１と、延出部５２を台座２の上面２２に固定する第２固定部材１３と、を備える。【選択図】図２
2019157352.tif 000002
【特許請求の範囲】
【請求項１】
上下方向に延びる支柱と、
前記支柱に沿って延び前記支柱に支持される被支持部材と、
前記支柱の径よりも大きい取付開口部が上面に形成された台座と、
前記支柱と前記台座との間に配置される支持ブラケットであって、前記支柱が挿入されると共に前記取付開口部に挿入され底部を有する筒状部と、前記筒状部の外周面から径方向に延出して前記台座の上面に配置される延出部と、を有する支持ブラケットと、
前記筒状部に挿入された前記支柱を前記筒状部に固定する第１固定部材と、
前記延出部を前記台座の上面に固定する第２固定部材と、を備える支柱構造体。
【請求項２】
水平方向に対する前記支持ブラケットの傾きを調整可能な傾き調整部を備える請求項１に記載の支柱構造体。
【請求項３】
前記支柱と前記筒状部との間に配置されるスペーサ部材を更に備える請求項１又は２に記載の支柱構造体。
【請求項４】
請求項１〜３のいずれかに記載の支柱構造体の施工方法であって、
前記支持ブラケットを前記取付開口部に設置するブラケット設置工程と、
前記筒状部に前記支柱の下端部を挿入する支柱配置工程と、
前記第１固定部材により、前記支柱を前記筒状部に固定する固定工程と、を含む支柱構造体の施工方法。
【発明の詳細な説明】
【技術分野】
【０００１】
本発明は、支柱構造体及びその施工方法に関する。
【背景技術】
【０００２】
従来、台座と、台座に立設される支柱と、支柱に支持されるフェンス本体（被支持部材）と、を備える仮設フェンス（支柱構造体）が知られている（例えば、特許文献１参照）。支柱の下端部は、台座の上面に形成された取付開口部に挿入されて保持される。特許文献１に記載の技術においては、台座の取付開口部の大きさは、支柱の下端部が挿入される大きさで且つ支柱を安定して支持できる大きさに形成されている。
【０００３】
ところで、仮設フェンスは、設置してから一定期間後に撤去されることが多く、低コストで製造でき、設置が容易で且つ撤去が容易であることが望まれる。そのため、低コストで仮設フェンスを設置するという観点から、既存の台座（例えば、ガードレール用の台座）を利用して、仮設フェンスを設置する場合がある。例えば、ガードレールの場合には、ガードレール用の台座の取付開口部にガードレール用の支柱を挿入して、台座の取付開口部と支柱との隙間にコンクリートを流し込んで支柱を固定している。
【０００４】
しかし、台座が仮設フェンス専用でない場合には、台座の取付開口が、フェンスの支柱の径に対して大きいことがある。そのため、台座の取付開口に支柱を取り付ける場合に、そのままの状態では、フェンスの支柱を挿入しても、台座の取付開口とフェンスの支柱との間の隙間が大きく、支柱を安定して支持することができないことがあった。
【０００５】
ここで、道路標識の支柱を支持する構造において、支柱の径に対して台座の取付開口が大きく形成され、台座の取付開口に支柱の下端部を挿入する場合に、台座と支柱の下端部との間に係止部材を介在させて、台座に支柱を立設する構造が提案されている（例えば、特許文献２参照）。
【先行技術文献】
【特許文献】
【０００６】
【特許文献１】特開平７−６２８９２号公報
【特許文献２】特開２００８−１９６３６号公報
【発明の概要】
【発明が解決しようとする課題】
【０００７】
特許文献２に記載の技術においては、係止部材は、支柱に装着可能な帯状部材と、台座の取付開口の周縁部に形成された係止凹部に載架されるアームと、を有して構成されている。
【０００８】
しかし、特許文献２に記載の技術においては、係止部材のアームを台座の係止凹部に載架するため、台座に係止凹部を加工する必要がある。また、特許文献２に記載の技術においては、支柱は帯状部材に装着されて保持されており、より安定して保持できる構成が望まれる。
よって、簡易な構成により、台座に支柱を容易に安定して保持させることができる構成が望まれる。
【０００９】
本発明は、簡易な構成により、台座に支柱を容易に安定して保持させることができる支柱構造体及びその施工方法を提供することを目的とする。
【課題を解決するための手段】
【００１０】
本発明は、上下方向に延びる支柱（例えば、後述の支柱３）と、前記支柱に沿って延び前記支柱に支持される被支持部材（例えば、後述のフェンス本体４）と、前記支柱の径よりも大きい取付開口部（例えば、後述の取付開口部２１）が上面（例えば、後述の上面２２）に形成された台座（例えば、後述の台座２）と、前記支柱と前記台座との間に配置される支持ブラケット（例えば、後述の支持ブラケット５）であって、前記支柱が挿入されると共に前記取付開口部に挿入され底部（例えば、後述の底面板５３）を有する筒状部（例えば、後述の収容筒体５１）と、前記筒状部の外周面から径方向に延出して前記台座の上面に配置される延出部（例えば、後述の中間板材５２）と、を有する支持ブラケットと、前記筒状部に挿入された前記支柱を前記筒状部に固定する第１固定部材（例えば、後述の第１固定ネジ１１）と、前記延出部を前記台座の上面に固定する第２固定部材（例えば、後述の第２固定ネジ１３）と、を備える支柱構造体（例えば、後述の仮設フェンス１）に関する。
【００１１】
また、水平方向に対する前記支持ブラケットの傾きを調整可能な傾き調整部（例えば、後述の傾き調整ワッシャ１５）を備えることが好ましい。
【００１２】
また、前記支柱と前記筒状部との間に配置されるスペーサ部材（例えば、後述のスペーサシート６）を更に備えることが好ましい。
【００１３】
また、前記支柱構造体の施工方法であって、前記支持ブラケットを前記取付開口部に設置するブラケット設置工程と、前記筒状部に前記支柱の下端部を挿入する支柱配置工程と、前記第１固定部材により、前記支柱を前記筒状部に固定する固定工程と、を含む支柱構造体の施工方法に関する。
【発明の効果】
【００１４】
本発明によれば、簡易な構成により、台座に支柱を容易に安定して保持させることができる支柱構造体及びその施工方法を提供することができる。
【図面の簡単な説明】
【００１５】
【図１】本発明の一実施形態の仮設フェンスの全体構成を示す正面図である。
【図２】支柱の支持構造を示す縦断面図である。
【図３】支柱の支持構造を示す平面図である。
【図４】支柱の支持構造を示す分解斜視図である。
【図５】本実施形態の仮設フェンスの施工方法であって、（ａ）は支持ブラケットを台座に取り付ける場合を示す図であり、（ｂ）は支持ブラケットに支柱を取り付ける場合を示す図であり、（ｃ）は支持ブラケットに支柱を固定する場合を示す図である。
【発明を実施するための形態】
【００１６】
以下、本発明の支柱構造体としての仮設フェンス１の一実施形態について、図面を参照しながら説明する。図１は、本発明の一実施形態の仮設フェンス１の全体構成を示す正面図である。図２は、支柱３の支持構造を示す縦断面図である。図３は、支柱３の支持構造を示す平面図である。図４は、支柱３の支持構造を示す分解斜視図である。
【００１７】
本実施形態において、支柱構造体を仮設フェンスに適用した例について説明する。なお、本実施形態の説明においては、図１における左右方向を「左右方向」という。
仮設フェンス１は、図１〜図４に示すように、複数の台座２と、複数の支柱３と、複数のフェンス本体４（被支持部材）と、複数の支持ブラケット５と、２つのスペーサシート６（スペーサ部材）と、複数の第１固定ネジ１１（第１固定部材）と、複数の第２固定ネジ１３（第２固定部材）と、傾き調整ワッシャ１５（傾き調整部）と、を備える。
【００１８】
複数の台座２は、図１に示すように、それぞれ、例えば、所定幅を有して所定方向（左右方向）に所定長さで延びるコンクリートブロックにより構成される。複数の台座２は、所定方向（左右方向）に並んで配置され、隣接する台座２同士が連結されている。本実施形態における台座２は、例えば、本実施形態の仮設フェンス専用に製造されたものではなく、既存のガードレール用の台座である。仮設フェンスは、設置してから一定期間後に撤去されることが多いため、本実施形態では、支柱を地中に埋め込むことを避けて、台座として、例えば、既存のガードレール用の台座を用いている。ガードレールの場合には、ガードレール用の台座の取付開口部にガードレール用の支柱を挿入して、台座の取付開口部と支柱との隙間にコンクリートを流し込んで支柱を固定している。
【００１９】
なお、本実施形態においては、台座２として、既存のガードレール用の台座を利用した場合の例について説明するが、これに限定されない。台座２は、既存のものに限定されず、新規に製造したものでもよい。また、台座２は、ガードレール用の台座に限定されず、支柱の径よりも大きい取付開口部を有していればよく、例えば、道路標識の支柱を支持する台座などであってもよい。
【００２０】
台座２の上面２２には、取付開口部２１が形成される。取付開口部２１は、平面視円形状に開口して形成され、台座２の上面２２から下方側に延びる。本実施形態においては、取付開口部２１は、台座２を上下方向に貫通する貫通孔により形成される。なお、取付開口部２１は、台座２を上下方向に貫通する貫通孔に限定されない。取付開口部２１は、台座２を上下方向に貫通していなくてもよく、例えば、取付開口部２１を、台座２の上面２２に開口して、台座２の上面２２から下方側に窪む凹部や凹溝で構成してもよいし、台座２が中空である場合には上面板に開口を形成することで構成してもよい。取付開口部２１において、台座２の上面２２に開口した部分の下方側に、後述する支持ブラケット５の収容筒体５１を挿入できる上下方向の空間が確保されていることが好ましい。
【００２１】
取付開口部２１は、支柱３の径よりも大きい開口である。本実施形態においては、台座２として、例えば、既存のガードレール用の台座を用いており、取付開口部２１は、ガードレール用の支柱が挿入される大きさであるため、支柱３の径よりも大きい。なお、本実施形態においては、取付開口部２１を、平面視で、円形状に開口して構成したが、これに限定されず、例えば、多角形状に開口して構成してもよいし、楕円形状に開口して構成してもよい。
【００２２】
複数の支柱３は、図１に示すように、所定方向（左右方向）に並んで配置された複数の台座２の上方側において、所定方向（左右方向）に並んで配置される。複数の支柱３は、それぞれ、上下方向に延びて形成される。支柱３の下端部は、台座２の取付開口部２１において、支持ブラケット５を介して、台座２に固定される。支持ブラケット５の詳細については後述する。
【００２３】
支柱３には、上下方向における複数の所定位置に、複数のフェンス取り付け用フック３１が取り付けられる。支柱３０には、複数のフェンス取り付け用フック３１を介して、フェンス本体４が接続される。
【００２４】
フェンス本体４は、図１に示すように、支柱３に沿って延びる。フェンス本体４は、複数の上側フェンス体４１と、複数の下側フェンス体４２とが略同一平面上に配置されて構成される。複数の上側フェンス体４１及び複数の下側フェンス体４２は、メッシュ状に形成される。
【００２５】
上側フェンス体４１及び下側フェンス体４２は、上下方向に並べられて配置され、互いが、連結部材４０１により連結される。複数の上側フェンス体４１は、フェンス本体４の上側において、左右方向に並べられて配置され、隣接する上側フェンス体４１同士が、連結部材４０２により連結される。複数の下側フェンス体４２は、フェンス本体４の下側において、左右方向に並べられて配置され、隣接する下側フェンス体４２同士が、連結部材４０２により連結される。フェンス本体４は、複数のフェンス取り付け用フック３１を介して、支柱３に支持される。
【００２６】
支持ブラケット５について説明する。
支持ブラケット５は、支柱３と台座２との間に配置される。支持ブラケット５は、台座２に固定された状態で、支柱３を支持する。支持ブラケット５は、図２〜図４に示すように、底面板５３（底部）を有する収容筒体５１（筒状部）と、中間板材５２と、一対の補強支持板５４と、を有する。
【００２７】
収容筒体５１は、上下方向に延びる円筒状に形成される。収容筒体５１は、例えば、管体により形成されたサヤ管とも呼ばれる。収容筒体５１には、支柱３の下端部が挿入される。収容筒体５１は、支柱３の下端部が挿入された状態で、台座２の取付開口部２１に挿入される。収容筒体５１は、中間板材５２よりも上側に配置される上側筒部５１１と、中間板材５２よりも下側に配置される下側筒部５１２と、を有する。
【００２８】
収容筒体５１が支柱３を支持するという観点からは、収容筒体５１の内径は、支柱３の外形と同じであることが好ましい。しかし、本実施形態においては、収容筒体５１の内径は、収容筒体５１への支柱３の挿入し易さを考慮して、支柱３の外径よりも僅かに大きく形成される。これにより、収容筒体５１の内周面と支柱３の外周面との間には、僅かな隙間（例えば、１ｍｍ以下）が設けられる。収容筒体５１にスペーサシート６（後述）が貼り付けられた支柱３が挿入されることで、収容筒体５１の内周面と支柱３の外周面との間の隙間には、上下方向に離間した２箇所において、スペーサシート６が配置される。
【００２９】
底面板５３は、収容筒体５１の下端部において、径方向の内側に水平方向に延びる環状の板部材により形成される。底面板５３には、中央に円形状に貫通する水抜き開口５３１が形成される。底面板５３の上面には、収容筒体５１に挿入された支柱３の下端部が載置され、底面板５３は、収容筒体５１に挿入された支柱３の下端部を保持する。
【００３０】
中間板材５２は、収容筒体５１の上下方向（軸方向）の途中の外周面から収容筒体５１の径方向に延出して形成される。中間板材５２は、例えば、金属板により形成される。本実施形態においては、中間板材５２は、収容筒体５１の上下方向（軸方向）の中央よりも上側において、収容筒体５１の外周面から径方向に延出する。中間板材５２は、平面視で、外形が、台座２の取付開口部２１よりも大きい大きさの矩形状に形成される。中間板材５２は、台座２の取付開口部２１の周縁において、台座２の上面２２に配置される。本実施形態においては、中間板材５２は、収容筒体５１の外周面に溶接により接合されている。
【００３１】
本実施形態においては、支持ブラケット５を作製する場合には、例えば、金属板である中間板材５２にサヤ管である収容筒体５１を貫通させて、収容筒体５１（サヤ管）の外周面に中間板材５２（金属板）を溶接する。
【００３２】
一対の補強支持板５４は、図２及び図４に示すように、中間板材５２の下面と収容筒体５１の表面とを接続する略直角三角形状の板部材により形成される。一対の補強支持板５４は、中間板材５２を下面側から支持して補強する。
【００３３】
２つのスペーサシート６は、支柱３における収容筒体５１に挿入される部分において、上下方向に離間して配置されている。スペーサ部材６は、所定幅を有し、支柱３の周面において周方向に周回して貼り付けられている。スペーサシート６は、弾性材料により形成され、例えば、硬質ゴムにより形成される。スペーサシート６は、支柱３と支持ブラケット５の収容筒体５１の内面との間に配置され、支柱３を収容筒体５１に強固に安定して保持させる。
【００３４】
複数の第１固定ネジ１１は、図２〜図４に示すように、それぞれ、ナット１２を介して、収容筒体５１の上側筒部５１１の周面を貫通して、第１固定ネジ１１の先端を、収容筒体５１に挿入された支柱３の周面に押し付けることで、収容筒体５１に挿入された支柱３を、支持ブラケット５の収容筒体５１に固定する。本実施形態においては、３つの第１固定ネジ１１が、収容筒体５１の周方向に離間して配置される。３つの第１固定ネジ１１は、収容筒体５１の上側筒部５１１の周方向の３箇所の所定位置において、収容筒体５１に挿入された支柱３を、支持ブラケット５の収容筒体５１に固定する。
【００３５】
複数の第２固定ネジ１３は、それぞれ、ワッシャ１４を介して、中間板材５２の角部の内側の位置において、中間板材５２を貫通して、台座２に締め付けることで、中間板材５２を台座２の上面２２に固定する。本実施形態においては、４つの第２固定ネジ１３により、中間板材５２の角部の内側の４箇所の位置において、中間板材５２は台座２の上面２２に固定される。
【００３６】
傾き調整ワッシャ１５は、水平方向に対する支持ブラケット５の傾きを調整可能である。傾き調整ワッシャ１５は、水平方向に対する支持ブラケット５の傾きを調整する場合に、図４に示すように、支柱３を傾かせる方向や傾かせる程度に応じて選択された第２固定ネジ１３の位置において、支持ブラケット５の中間板材５２と台座２の上面２２との間に配置される。第２固定ネジ１３により中間板材５２を台座２の上面２２に固定した状態において、傾き調整ワッシャ１５を支持ブラケット５の中間板材５２と台座２の上面２２との間に配置して、第２固定ネジ１３を傾き調整ワッシャ１５に貫通させる。これにより、水平方向に対する支持ブラケット５の傾きを調整でき、支柱３の傾きを調整できる。
【００３７】
次に、仮設フェンス１の施工方法について説明する。図５は、本実施形態の仮設フェンスの施工方法であって、（ａ）は支持ブラケット５を台座２に取り付ける場合を示す図であり、（ｂ）は支持ブラケット５に支柱３を取り付ける場合を示す図であり、（ｃ）は支持ブラケット５に支柱３を固定する場合を示す図である。
【００３８】
まず、図５（ａ）に示すように、第１固定ネジ１１をナット１２と共に、支持ブラケット５の収容筒体５１の上側筒部５１１に仮止めした状態で、支持ブラケット５の収容筒体５１の下側筒部５１２を台座２の取付開口部２１に挿入して、図５（ｂ）に示すように、支持ブラケット５の中間板材５２を、台座２おける取付開口部２１の周縁の上面２２に載置する。
【００３９】
この状態で、中間板材５２の４つの角部の内側の４箇所の位置において、４つの第２固定ネジ１３を、それぞれ、ワッシャ１４を介して、中間板材５２を貫通させて、台座２に締め付けることで、中間板材５２を台座２の上面２２に固定する。
【００４０】
また、支柱３の傾きを調整する場合には、第２固定ネジ１３により中間板材５２を台座２の上面２２に固定する際に、支柱３を傾かせる方向や傾かせる程度に応じて選択された第２固定ネジ１３の位置において、支持ブラケット５の中間板材５２と台座２の上面２２との間に傾き調整ワッシャ１５（図４参照）を配置して、第２固定ネジ１３を傾き調整ワッシャ１５に貫通させる。これにより、水平方向に対する支持ブラケット５の傾きを調整でき、支柱３の傾きを調整できる。
【００４１】
このようにして、４つの第２固定ネジ１３により、支持ブラケット５を台座２に固定することで、支持ブラケット５を、台座２の取付開口部２１に設置する（ブラケット設置工程）。
【００４２】
次に、図５（ｂ）に示すように、２つのスペーサ部材６を貼り付けた支柱３の下端部を、支持ブラケット５の収容筒体５１に挿入し、続けて、図５（ｃ）に示すように、支柱３の下端部が収容筒体５１の底面板５３に到達するまで挿入する（支柱配置工程）。
【００４３】
そして、図５（ｃ）に示すように、支持ブラケット５の収容筒体５１の上側筒部５１１において、３つの第１固定ネジ１１により、支柱３を収容筒体５１に本固定する。この場合に、３つの第１固定ネジ１１を締め付けることで、３つの第１固定ネジ１１の先端を、それぞれ、収容筒体５１に挿入された支柱３の周面に押し付けて、収容筒体５１に挿入された支柱３を、支持ブラケット５収容筒体５１に固定する。このように、支柱３を支持ブラケット５に容易に取り付けることができる。
続けて、支柱３にフェンス本体４を取り付けることで、図１に示すように、仮設フェンス１を設置できる。
【００４４】
その後、一定期間後において、仮設フェンス１が必要なくなった場合には、仮設フェンス１を撤去する。この場合には、仮設フェンス１を設置した場合と反対の作業手順により、仮設フェンス１を撤去する。この場合において、支持ブラケット５から支柱３を取り外して、支持ブラケット５を台座２から取り外すことを容易に行うことができるため、仮設フェンス１を容易に撤去できる。
このように、本実施形態においては、仮設フェンス１を容易に設置でき、かつ、仮設フェンス１を容易に撤去できる。
【００４５】
ここで、本発明の仮設フェンス１の利点について説明する。本実施形態の仮設フェンス１は、設置してから一定期間後に撤去されることが多く、低コストで製造でき、設置が容易で且つ撤去が容易であることが望まれる。そのため、低コストで仮設フェンスを設置するという観点から、既存の台座（例えば、ガードレール用の台座）を利用して、仮設フェンスを設置する場合がある。しかし、台座が仮設フェンス専用でない場合には、台座の取付開口が、フェンスの支柱の径に対して大きいことがあり、台座の取付開口に支柱を取り付ける場合に、そのままの状態では、フェンスの支柱を挿入しても、台座の取付開口とフェンスの支柱との間の隙間が大きく、支柱を安定して支持することができない。
【００４６】
これに対して、本発明の仮設フェンス１は、例えば、既存のガードレール用の台座２を利用して構成され、支柱３が挿入されると共に取付開口部２１に挿入され底面板５３を有する収容筒体５１と、収容筒体５１の外周面から径方向に延出して台座２の上面に配置される中間板材５２と、を有する支持ブラケット５と、収容筒体５１に挿入された支柱３を収容筒体５１に固定する第１固定部材１１と、中間板材５２を台座２の上面２２に固定する第２固定部材１３と、を備える。これにより、簡易な構成により、台座２に支柱３を容易に安定して保持させて固定できる。
【００４７】
以上説明した本実施形態の仮設フェンス１によれば、以下のような効果を奏する。
これに対して、本実施形態の仮設フェンス１は、支柱構造体１は、上下方向に延びる支柱３と、支柱３に沿って延び支柱３に支持されるフェンス本体４と、支柱３の径よりも大きい取付開口部２１が上面２２に形成された台座２と、支柱３と台座２との間に配置される支持ブラケット５であって、支柱３が挿入されると共に取付開口部２１に挿入され底面板５３を有する収容筒体５１と、収容筒体５１の外周面から径方向に延出して台座２の上面に配置される中間板材５２と、を有する支持ブラケット５と、収容筒体５１に挿入された支柱３を収容筒体５１に固定する第１固定部材１１と、中間板材５２を台座２の上面２２に固定する第２固定部材１３と、を備える。これにより、簡易な構成により、台座２に支柱３を容易に安定して保持させて固定できる。
【００４８】
また、本実施形態においては、水平方向に対する支持ブラケット５の傾きを調整可能な傾き調整ワッシャ１５を備える。そのため、調整ワッシャ１５により、水平方向に対する支持ブラケット５の傾きを調整することで、支柱３の傾きを容易に調整できる。
【００４９】
また、本実施形態においては、支柱３と収容筒体５１との間に配置されるスペーサシート６を備える。そのため、支柱３と収容筒体５１との間の隙間においてスペーサシート６を弾性変形させた状態で、支柱３を収容筒体５１に挿入できる。これにより、支柱３を収容筒体５１に容易に挿入できると共に、支柱３を収容筒体５１に強固に安定して保持させることができる。
【００５０】
また、本実施形態の仮設フェンスの施工方法は、支持ブラケット５を取付開口部２１に設置するブラケット設置工程と、収容筒体５１に支柱３の下端部を挿入する支柱配置工程と、第１固定ネジ１１により、支柱３を収容筒体５１に固定する固定工程と、を含む。これにより、台座２に支柱３を容易に安定して固定させることができ、台座２に支柱３を容易に固定して、仮設フェンス１を容易に施工できる。
【００５１】
以上、本発明の仮設フェンス１の好ましい一実施形態について説明したが、本発明は、上述した実施形態に制限されるものではなく、適宜変更が可能である。
例えば、前記実施形態においては、支柱構造体を仮設フェンス１に適用した例について説明したが、これに限定されない。例えば、支柱構造体を、柵、ガードレール、標識、看板などに適用してもよい。
【符号の説明】
【００５２】
１  仮設フェンス（支柱構造体）
２  台座
３  支柱
４  フェンス本体（被支持部材）
５  支持ブラケット
６  スペーサシート（スペーサ部材）
１１  第１固定ネジ（第１固定部材）
１３  第２固定ネジ（第２固定部材）
１５  傾き調整ワッシャ（傾き調整部）
２１  取付開口部
２２  上面
５１  収容筒体（筒状部）
５２  中間板材（延出部）
５３  底面板（底部）
【図１】
2019157352.tif 000003
【図２】
2019157352.tif 000004
【図３】
2019157352.tif 000005
【図４】
2019157352.tif 000006
【図５】
2019157352.tif 000007
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
上下方向に延びる支柱と、
前記支柱に沿って延び前記支柱に支持される被支持部材と、
コンクリートブロックにより構成され、地面に載置可能な台座であって、前記支柱の径よりも大きい取付開口部が上面に形成された台座と、
前記支柱と前記台座との間に配置される支持ブラケットであって、前記支柱が挿入されると共に前記取付開口部に挿入され底部を有する筒状部と、前記筒状部の外周面から径方向に延出して前記台座の上面に配置される延出部と、を有する支持ブラケットと、
前記筒状部に挿入された前記支柱を前記筒状部に固定する第１固定部材と、
前記延出部を前記台座の上面に固定する第２固定部材と、を備える支柱構造体。
【請求項２】
水平方向に対する前記支持ブラケットの傾きを調整可能な傾き調整部を備える請求項１に記載の支柱構造体。
【請求項３】
前記支柱と前記筒状部との間に配置されるスペーサ部材を更に備える請求項１又は２に記載の支柱構造体。
【請求項４】
請求項１〜３のいずれかに記載の支柱構造体の施工方法であって、
前記支持ブラケットを前記取付開口部に設置するブラケット設置工程と、
前記筒状部に前記支柱の下端部を挿入する支柱配置工程と、
前記第１固定部材により、前記支柱を前記筒状部に固定する固定工程と、を含む支柱構造体の施工方法。